(57)【要約】【課題】異なる検討項目に関する設計操作を並行にもしくは交互に行うことができ、かつ再利用等における設計履歴の参照を効率的に行える設計履歴生成装置を実現する。【解決手段】設計対象に対する設計操作の検討項目を入力する検討項目入力画面を表示手段１０１ａに表示し、検討項目入力画面に応答して入力手段１０１から入力された検討項目に対応する作業実行画面を表示手段に表示し、その作業実行画面上で入力手段から入力された設計操作の記録を、検討項目に関連づけて記憶手段１０５に記憶させる設計履歴蓄積手段１０２を有して構成する。【選択図】  図１
2007207105.tif 000002
【特許請求の範囲】
【請求項１】
演算処理手段と、記憶手段と、入力手段と、表示手段とを有して構成され、前記表示手段に表示された設計対象のモデルに対して、前記入力手段から入力される設計操作に基づいて前記設計対象の設計支援を行う設計支援システムであって、
前記演算処理手段は、前記設計対象に対する前記設計操作の検討項目を入力する検討項目入力画面を前記表示手段に表示し、該検討項目入力画面に応答して前記入力手段から入力された検討項目に対応する作業実行画面を前記表示手段に表示し、該作業実行画面上で前記入力手段から入力された前記設計操作の記録を前記検討項目に関連づけて前記記憶手段に記憶させる設計履歴蓄積手段を有する設計支援システム。
【請求項２】
請求項１において、
前記設計履歴蓄積手段は、
前記検討項目が複数入力されたとき、各検討項目に対応する複数の前記作業実行画面を前記表示手段に表示し、前記各作業実行画面上で前記入力手段から入力された前記設計操作の記録を前記各検討項目に関連づけて設計履歴として前記記憶手段に記憶させることを特徴とする設計支援システム。
【請求項３】
請求項１において、
前記設計履歴蓄積手段は、
前記検討項目に対する検討内容が異なる複数の検討パターンの入力を許容し、該複数の検討パターンに対応する作業実行画面を前記表示手段に表示することを特徴とする設計支援システム。
【請求項４】
請求項２において、
前記演算処理手段は、
前記記憶手段に記録された前記設計履歴が複数の検討項目に関連づけて記憶された複数の設計履歴を有し、前記複数の検討項目が関連する場合、該関連する複数の検討項目に対応させて前記複数の設計履歴を階層状にまとめたテンプレートデータを作成して前記記憶手段に記憶させるテンプレート作成手段と、
前記記憶手段に記憶された前記テンプレートデータに基づいて、前記記憶手段から前記複数の設計履歴を読み出して、読み出した複数の設計履歴を前記表示手段に階層状に表示させるテンプレートデータ表示手段とを有することを特徴とする設計支援システム。
【請求項５】
請求項４において、
前記演算処理手段は、
前記記憶手段に記憶された前記テンプレートデータを編集するテンプレートデータ編集手段を有することを特徴とする設計支援システム。
【請求項６】
請求項１において、
前記設計履歴蓄積手段は、前記検討項目に関する設計操作において参照した参考資料と、前記検討項目の検討結果と、前記設計操作の成果物と、前記作業画面の操作映像の少なくとも一つを前記設計履歴とすることを特徴とする設計支援システム。
【請求項７】
請求項４において、
前記設計履歴蓄積手段は、前記検討項目に関する設計操作において参照した参考資料と、前記検討項目の検討結果と、前記設計操作の成果物と、前記作業画面の操作映像の少なくとも一つを前記設計履歴として前記記憶手段に記憶させ、
前記テンプレートデータ表示手段は、前記複数の検討項目を階層に合わせてツリー状に前記表示手段に表示し、該表示された検討項目の一つを指定することにより、当該検討項目に係る前記参照資料、前記検討結果、前記成果物と、前記操作映像を参照可能に形成されてなる設計支援システム。
【発明の詳細な説明】
【技術分野】
【０００１】
本発明は、設計支援システムに係り、特に、プラント構成機器や製品等の設計履歴を蓄積するとともに、蓄積された設計履歴を参照して、設計条件や設計操作等の確認あるいは他の製品等の設計に利用するのに好適な設計履歴生成装置を備えた設計支援システムに関する。
【背景技術】
【０００２】
プラント構成機器や製品等の設計を支援するため、製品等の３次元モデルをコンピュータの表示画面に表示し、形状、強度、材質、等の様々な設計条件を満たすように３次元モデルの各部の状態等を対話形式により操作できるようにして、設計を支援する設計支援システムが知られている。このような設計支援システムにおいて、設計条件等の確認あるいは他の製品等の設計に利用するために、設計操作を含む設計履歴を蓄積するとともに、蓄積された設計履歴を参照可能にした設計履歴生成装置が設けられる。
【０００３】
このような設計履歴生成装置を組み込んだ設計支援システムの一例として、特許文献１には、ＣＡＤモデルとそのＣＡＤモデルを作成する際に実行したコマンドを関連付けて蓄積しておき、そのＣＡＤモデルを作成した設計履歴をツリー状に表示することが提案されている。これによれば、ツリー状に表示された設計履歴の任意の部分において、過去の設計状態への復帰、過去のモデルの再生、コマンドの再実行を容易に行うことができるとしている。
【０００４】
【特許文献１】特開平０９−０９７２７７号公報
【発明の開示】
【発明が解決しようとする課題】
【０００５】
ところで、通常の設計においては、設計条件等を変えた複数の検討項目に関する設計操作を実行して、最適な設計結果を求める操作が行われる。しかし、特許文献１に記載の従来技術では、１つの検討項目に関する設計履歴の蓄積を想定しているため、例えば、設計条件等を変えた複数の設計操作を並行して、もしくは交互に行うと、設計条件等が異なる設計操作が一つの設計履歴の中に混在して蓄積されてしまうことになる。そのため、蓄積された設計履歴を見て、例えば形状寸法等が変更されていることに気がついても、何故に形状寸法等が変更されたのかが、判らない場合がある。
【０００６】
したがって、特許文献１に記載の従来技術によれば、ユーザは設計条件等を変更した検討項目ごとに、設計操作を実行して設計履歴として蓄積した後に、他の検討項目に関する設計操作を実行して、別々の設計履歴として蓄積することを余儀なくされる。つまり、一つの製品等に関する設計履歴を検討項目ごとに切り分けて蓄積しなければならないから、設計履歴の蓄積操作が煩雑になるだけでなく、一つの製品等に関する異なる検討項目に関する設計履歴を参照する操作が煩雑になり、設計履歴の参照を効率よく行うことができない。
【０００７】
本発明は、異なる検討項目に関する設計操作を並行にもしくは交互に行うことができ、かつ再利用等における設計履歴の参照を効率的に行える設計履歴生成装置を備えた設計支援システムを実現することを課題とする。
【課題を解決するための手段】
【０００８】
上記の課題を解決するため、本発明は、演算処理手段と、記憶手段と、入力手段と、表示手段とを有して構成され、前記表示手段に表示された設計対象のモデルに対して、前記入力手段から入力される設計操作に基づいて前記設計対象の設計支援を行う設計支援システムであって、前記演算処理手段は、前記設計対象に対する前記設計操作の検討項目を入力する検討項目入力画面を前記表示手段に表示し、該検討項目入力画面に応答して前記入力手段から入力された検討項目に対応する作業実行画面を前記表示手段に表示し、該作業実行画面上で前記入力手段から入力された前記設計操作の記録を前記検討項目に関連づけて前記記憶手段に記憶させる設計履歴蓄積手段を有して構成することを特徴とする。
【０００９】
すなわち、設計履歴を検討項目に関連づけて蓄積するようにしたから、異なる検討項目に関する設計操作を並行にもしくは交互に行っても、検討項目ごとに設計履歴が切り分けられて蓄積される。その結果、再利用等における設計履歴の参照を、検討項目ごとに指定することにより、効率的に行うことができる。また、蓄積された設計履歴を見て、例えば形状寸法等が変更されている場合、対応する検討項目を参照することにより、形状寸法等が変更された理由を容易に理解できる。
【００１０】
この場合において、前記設計履歴蓄積手段は、前記検討項目が複数入力されたとき、各検討項目に対応する複数の前記作業実行画面を前記表示手段に表示し、前記各作業実行画面上で前記入力手段から入力された前記設計操作の記録を前記各検討項目に関連づけて設計履歴として前記記憶手段に記憶させることができる。
【００１１】
また、前記設計履歴蓄積手段は、前記検討項目に対する検討内容が異なる複数の検討パターンの入力を許容し、該複数の検討パターンに対応する作業実行画面を前記表示手段に表示することができる。
【００１２】
また、前記演算処理手段は、前記記憶手段に記録された前記設計履歴が複数の検討項目に関連づけて記憶された複数の設計履歴を有し、前記複数の検討項目が関連する場合、該関連する複数の検討項目に対応させて前記複数の設計履歴を階層状にまとめたテンプレートデータを作成して前記記憶手段に記憶させるテンプレート作成手段と、前記記憶手段に記憶された前記テンプレートデータに基づいて、前記記憶手段から前記複数の設計履歴を読み出して、読み出した複数の設計履歴を前記表示手段に階層状に表示させるテンプレートデータ表示手段とを有して構成することができる。
【００１３】
これによれば、異なる複数の検討項目に対する複数の設計履歴が階層状に表示されるから、複数の設計履歴の参照を一層容易に行うことができる。なお、前記演算処理手段は、前記記憶手段に記憶された前記テンプレートデータを編集するテンプレートデータ編集手段を有して構成することができる。
【００１４】
さらに、本発明の設計履歴蓄積手段は、前記検討項目に関する設計操作において参照した参考資料と、前記検討項目の検討結果と、前記設計操作の成果物と、前記作業画面の操作映像の少なくとも一つを前記設計履歴として、前記記憶手段に記憶させることができる。
【００１５】
また、本発明の設計履歴蓄積手段は、前記検討項目に関する設計操作において参照した参考資料と、前記検討項目の検討結果と、前記設計操作の成果物と、前記作業画面の操作映像の少なくとも一つを前記設計履歴として前記記憶手段に記憶させ、前記テンプレートデータ表示手段は、前記複数の検討項目を階層に合わせてツリー状に前記表示手段に表示し、該表示された検討項目の一つを指定することにより、当該検討項目に係る前記参照資料、前記検討結果、前記成果物と、前記操作映像を参照可能に形成することができる。
【発明の効果】
【００１６】
本発明によれば、異なる検討項目についての設計操作を並行にもしくは交互に行うことができ、かつ再利用等における設計履歴の参照を効率的に行える設計履歴生成装置を実現することができる。
【発明を実施するための最良の形態】
【００１７】
以下、本発明を、実施例に基づいて説明する。
【実施例１】
【００１８】
図1に、本発明の設計履歴生成装置を備えた設計支援システムの実施例１の概要構成図を示す。図に示すように、本実施例の設計支援システムは、入出力装置１０１と、設計履歴蓄積部１０２と、テンプレート作成部１０３と、テンプレート表示編集部１０４と、データベース１０５を備えて構成されている。
【００１９】
入出力装置１０１は、システム使用者がデータを入力したり表示したりするためのキーボード、マウス、表示手段であるディスプレイ１０１ａ、等から構成されている。
【００２０】
設計履歴蓄積部１０２は、ディスプレイ１０１ａに検討項目入力画面を表示し、その検討項目入力画面上でユーザが宣言した検討項目ごとにディスプレイ１０１ａに作業実行画面を表示し、その作業実行画面において実行した設計操作の操作ログ（記録）を、検討項目と関連づけて設計履歴として生成してデータベース１０５に蓄積するように構成されている。
【００２１】
テンプレート作成部１０３は、蓄積された設計履歴をもとに、検討項目と検討の際の操作映像と参考資料と成果物をまとめたテンプレートを作成して、データベース１０５に保存するようになっている。
【００２２】
テンプレート表示編集部１０４は、データベース１０５に保存されているテンプレートを読み込み、そのテンプレートに記載されている検討項目をディスプレイに表示し、表示した各検討項目に関連づけられた操作映像と検討時の参考資料、成果物を参照可能に構成されている。また、テンプレート表示編集部１０４では、作成したテンプレートの編集が可能になっている。
【００２３】
データベース１０５には、操作映像や参考資料や成果物及び操作ログ及びテンプレートが保存されるようになっている。
【００２４】
このように構成される実施例1の詳細な構成について、動作とともに説明する。本システムのユーザは、設計履歴を蓄積する場合、入出力装置１０１を介して設計履歴蓄積部１０２を使用する。まず、設計履歴蓄積部１０２にアクセスすると、ディスプレイ１０１ａに図２に示す検討項目入力画面２０１が表示される。ここで、システムユーザが意図する検討項目を検討項目入力欄２０２に入力して「ＯＫ」ボタン２０３を押す。これにより、ディスプレイ１０１ａに、図３に示す検討数入力画面３０１が表示される。ここで、検討数入力欄３０２に、図２で入力した検討項目に対して何ケースの検討を行うのかを入力し、「ＯＫ」ボタン３０３を押す。ここで、検討するケースを検討パターンと呼ぶ。
【００２５】
続いて、ディスプレイ１０１ａに、検討パターンの数だけ図４に示す検討内容入力画面４０１が表示される。検討内容入力画面４０１のタイトル入力欄４０２と検討内容入力欄４０３に、各検討パターンに対するタイトルと検討内容を入力して「ＯＫ」ボタン４０５を押すと、図５に示すように、検討パターンごとに作業実行画面５０２、５０７、５０８が表示される。作業実行画面には、検討内容入力画面で入力したタイトルがタイトル表示領域５０３に表示され、検討内容が画面上部に表示される。また、タイトル表示領域５０３の右端にあるアイコン５０５によって、作業実行画面を全画面表示とするか、最小画面とするか、その中間の大きさの画面とするかを変更することができる。
【００２６】
つまり、本実施例の作業実行画面上では、周知のパーソナルコンピュータＰＣ等を用いて構成される設計支援システムにおいて、入出力装置１０１から実行可能な設計操作を、同様の操作及び同様の表示形式にて行うことができる。また、作業実行画面上で行った検討などの設計操作の履歴は、その検討パターンと関連付けられて保存される。設計操作が終了したあとは、作業実行画面の上方に位置するアイコンから作業実行画面を閉じることにより、設計履歴の蓄積を終了する。
【００２７】
以下、本実施例の設計履歴の蓄積、テンプレートの構成、テンプレートの表示・編集をそれぞれ説明する。
【００２８】
〔設計履歴の蓄積〕
本実施例に係る設計履歴の蓄積形式について、図６〜図８を参照して説明する。本実施例の設計履歴は、宣言ログ、参照・登録ログ、操作映像ログの３つから構成されている。
【００２９】
宣言ログには、ユーザが検討項目入力画面（図２）で入力した検討項目と、検討内容入力画面（図４）で入力した検討パターンごとのタイトル及び検討内容が含まれ、それらが関連付けられてデータベース１０５に保存される。つまり、宣言ログは、図６（Ａ）に示す検討項目に関するログ６０１と、図６（Ｂ）に示す検討パターンに関するログ６０５に分けられる。
【００３０】
図６（Ａ）の検討項目に関するログ６０１には、検討項目ＩＤ６０２、検討項目６０３、時刻６０４が保存される。検討項目ＩＤは、検討項目ごとにシステムによってつけられるＩＤであり、他の検討項目と重複することのないIDとなっている。検討項目には、検討項目入力画面において入力した検討項目が保存され、そのときの時刻が、時刻６０４に保存される。
【００３１】
図６（Ｂ）の検討パターンに関するログ６０５には、検討パターンＩＤ６０６、タイトル６０７、検討内容６０８、検討項目ＩＤ６０９、時刻６１０が保存される。検討パターンＩＤは検討パターンごとにシステムによってつけられるＩＤであり、他の検討パターンと重複することのないIDとなっている。検討内容入力画面（図４）にて入力したタイトルと検討内容が、タイトル６０７と検討内容６０８として、また、入力時刻が時刻６１０に保存される。検討項目ＩＤ６０９には、検討パターンが属する検討項目の検討項目ＩＤが保存される。ここで、保存される検討項目ＩＤは、検討項目に関するログ６０１に保存されている検討項目ＩＤと対応する。
【００３２】
図７に示すように、参照・登録ログ７０１には、作業実行画面上で行った参考資料やホームページの参照履歴及び検討を行うために作成した数値解析用の解析モデル、検討した結果をまとめたレポートなどの検討過程、及び検討した結果作成される成果物のデータベースへの登録履歴が、検討パターンと関連付けて保存される。参照・登録ログ７０１は、図示のように、操作内容７０２、ＩＤ７０３、タイトル７０４、時刻７０５、検討パターンＩＤ７０６、格納先アドレス７０７からなる。操作内容７０２には、参照もしくは登録の別が保存される。ＩＤ７０３、タイトル７０４には登録もしくは参照したデータのＩＤ、タイトルが保存される。
【００３３】
本実施例では、基本的に参考資料及び成果物をデータベース１０５内で管理しており、参考資料及び成果物にはそれぞれＩＤがシステムによって付けられ、他の参考資料及び成果物と重複することのないIDとなっている。なお、データベース１０５に登録されていないデータ、例えばインターネット上のホームページを参照した場合、ＩＤは保存されないから空欄となる。そして、ＩＤ７０３以外の操作内容７０２、タイトル７０４、時刻７０５、検討パターンＩＤ７０６、格納先アドレス７０７の情報が保存される。時刻７０５には、参照もしくは登録作業を行った際の時刻が保存される。検討パターンＩＤには、参照もしくは登録を行った作業実行画面に対応する検討パターンのＩＤが保存される。例えば、検討パターン１用の作業実行画面内で行った操作に対しては、検討パターンＩＤとして００００１が保存される。検討パターンと検討パターンＩＤの関連付けは、宣言ログにて行われる。格納先アドレス７０７には、参照資料及び成果物の保存先アドレスが保存される。インターネット上のホームページを参考資料として参照した際には、そのホームページのインターネット上のアドレスが保存される。
【００３４】
本実施例では、作業実行画面ごとに画面上での操作映像が、図８に示す操作映像ログ８０１とともに保存される。操作映像ログ８０１には、作業実行画面上で行った操作映像が検討パターンと関連付けられて保存される。操作映像ログ８０１は、ＩＤ８０２、タイトル８０３、開始時刻８０４、終了時刻８０５、検討パターンＩＤ８０６、保存先アドレス８０７からなる。ＩＤ８０２、タイトル８０３には、操作映像のＩＤとタイトルが付けられる。本実施例では、操作映像をデータベース１０５内で管理しており、操作映像にはそれぞれＩＤがシステムによって付けられ、他の操作映像と重複することのないIDとなっている。
【００３５】
例えば、タイトルは、「操作映像_検討パターンＩＤ」の形式でシステムによって付けられる。開始時刻８０４には、操作映像を撮り始めた時刻、つまり作業実行画面が表示された時刻が保存される。終了時刻には、操作映像が取り終わった時刻、つまり作業実行画面が閉じられた時刻が保存される。
【００３６】
検討パターンＩＤ８０６には、作業実行画面に対応する検討パターンのＩＤが保存される。例えば、検討パターン１用の作業実行画面内で行った操作に対しては、検討パターンＩＤとして００００１が保存される。検討パターンと検討パターンＩＤの関連付けは、宣言ログ（図６）にて行われる。保存先アドレス８０７には、操作映像の保存先が保存される。
【００３７】
〔テンプレートの構成〕
本実施例に係るテンプレートの構成について、図９、図１０Ａ、Ｂを参照して説明する。テンプレート作成部１０３は、蓄積した設計履歴をもとに、検討項目及び検討パターンごとに設計履歴をまとめたテンプレートを作成する。テンプレートは３つの部分、すなわち図９に示すように、共通データ９０１、単位業務プロセスデータ９０４、及びプロセス順序／階層データ９１３から構成されている。ここで、業務プロセスとは、設計操作のことをいい、例えば、図６Ａ、Ｂに示した検討項目、検討パターンに対応する。また、プロセス順序／階層とは、１つの検討項目に対して検討パターンが設定されているとき、検討項目が上位の階層で、検討パターンが下位の階層になる。
【００３８】
（共通データ９０１）
共通データ９０１は、図９に示すように、テンプレートＩＤ９０２とテンプレート名称９０３とから構成される。テンプレートＩＤ９０２は、テンプレートをデータベース１０５に登録した際に、システムによって付けられるＩＤであり、他のテンプレートと重複することのないIDとなっている。テンプレート名称は、テンプレートをデータベース１０５に登録する際に、ユーザがテンプレートにつける名称である。
【００３９】
（単位業務プロセスデータ９０４）
単位業務プロセスデータ９０４は、業務プロセスＩＤ９０５、業務プロセス名称９０６、検討内容９０７、作業開始時刻９０８、作業終了時刻９０９、成果物のタイトルと格納先アドレス９１０と参考資料のタイトルと格納先アドレス９１１と操作映像のタイトルと格納先アドレスのデータ９１２から構成される。業務プロセスＩＤ９０５はテンプレート作成時に、システムによって各業務プロセスに付けられるＩＤであり、他の業務プロセスと重複しないIDとなっている。業務プロセス名称９０６には、宣言ログ（図６）の検討項目６０３もしくは検討パターンのタイトル６０７が定義される。なお、業務プロセスが検討パターンの場合のみ、検討内容９０７、作業開始時刻９０８、作業終了時刻９０９、成果物のタイトルと格納先アドレス９１０と、参考資料のタイトルと格納先アドレス９１１と、操作映像のタイトルと格納先アドレス９１２が定義され、検討項目の場合は定義されない。また、検討パターンの場合であっても、その検討パターンにおいて参考資料が参照されなかった場合や成果物が登録されなかった場合は、参考資料のタイトルと格納先アドレス９１１、成果物のタイトルと格納先アドレス９１０は定義されない。
【００４０】
検討内容９０７には、宣言ログ（図６）の検討内容６０８が定義される。作業開始時刻９０８、作業終了時刻９０９には、それぞれ操作映像ログの開始時刻８０４と終了時刻８０５が定義される。成果物のタイトルと格納先アドレス９１０には、参照・登録ログ（図７）において、操作内容７０２が「登録」であるデータのタイトル７０４と格納先アドレス７０７が定義される。参考資料のタイトルと格納先アドレス９１１には、参照・登録ログにおいて、操作内容７０２が「参照」であるデータのタイトル７０４と格納先アドレス７０７が定義される。操作映像のタイトルと格納先アドレスのデータ９１２には、操作映像ログのタイトル８０３と保存先アドレス８０７が定義される。
【００４１】
（プロセス順序／階層データ３０３）
図９に示すように、プロセス順序／階層データ９１３には、前述した単位業務プロセスデータについて、業務プロセスの順番と、業務プロセス間の親子関係が定義される。親プロセスが検討項目、子プロセスが検討パターンとなる。各業務プロセスはＩＤによって指定され、図９の例では、「業務プロセスＩＤ＝００００１」９１４が親プロセスで、「業務プロセスＩＤ＝００００２」、「業務プロセスＩＤ＝００００３」、「業務プロセスＩＤ＝００００４」がその子プロセスとなっている。同一階層の業務プロセスは、宣言ログ（図６）の時刻６０４、６１０が古いものから順に定義される。
【００４２】
（テンプレートの具体例）
図１０Ａ、図１０Ｂに、テンプレートの具体例を示す。図１０Ａ、図１０Ｂは一続きのデータを示している。このテンプレートは、図６の宣言ログ、図７の参照・登録ログ、図８の操作映像ログを用いて作成した例である。業務プロセスＩＤ＝１のデータ１００１には、検討項目「タンク強度検討」を、業務プロセスＩＤ＝２のデータ１００２、業務プロセスＩＤ＝３のデータ１１０１には、それぞれ検討項目「タンク強度検討」の検討パターンである「強度検討パターン１」、「強度検討パターン2」が定義される。
【００４３】
また、業務プロセスごとに、図６の宣言ログ、図７の参照・登録ログ、図８の操作映像ログをもとに、検討内容、作業開始時刻、作業終了時刻、成果物のタイトルと格納先アドレス、参考資料のタイトルと格納先アドレス、操作映像のタイトルと格納先アドレスが定義される。
【００４４】
プロセス順序／階層データ１１０２は、「業務プロセスＩＤ＝００００１」１１０３、つまり検討項目「タンク強度検討」が親プロセスで、「業務プロセスＩＤ＝００００２」１１０４、「業務プロセスＩＤ＝００００３」１１０５、つまり「強度検討パターン１」、「強度検討パターン2」が子プロセスとして定義されている。
【００４５】
〔テンプレートの表示及び編集〕
本実施例では、作成したテンプレートをもとに、テンプレート表示編集部１０４によって、業務プロセスをツリー状にディスプレイ１０１ａに表示し、表示した各業務プロセスから業務プロセスに関連付けられている操作映像と、検討時の参考資料と、成果物を容易に参照することができる。
【００４６】
図１１に、その表示形式の一例を示す。テンプレート１２０１は、業務プロセス表示領域１２０２と、検討内容表示領域１２０３と、コンテンツ表示領域１２０４に分けられる。業務プロセス表示領域１２０２には、テンプレートで定義されている業務プロセス名称９０６が、プロセス順序／階層データ９１３に定義されている順序と階層構造の情報に従ってツリー状に表示される。表示される業務プロセスの一つを選択すると、検討内容表示領域１２０３にテンプレートに定義されている「タンク幅をＸＸｍｍとして検討する。」という検討内容９０７が表示される。また、コンテンツ表示領域１２０４に、業務プロセスに関連付けられている操作映像と参考資料のタイトル「タンク解析モデル（肉厚変更）」、成果物のタイトル「タンク幅に関する強度レポート」が一覧表示される。操作映像と参考資料、成果物はそれぞれタブ１２０５によって切り分けて一覧表示することができる。さらに、一覧を選択することによって、その操作映像と参考資料、成果物を表示することができる。
【００４７】
テンプレート表示編集部１０４によって表示されるテンプレートは、この画面上で編集することが可能である。業務プロセス表示領域１２０２にて表示される業務プロセスを選択して、マウス右ボタンを押すと、図１２に記載のように、業務プロセス名の編集１３０１、検討内容の編集１３０２、コピー１３０３、切り取り１３０４、貼り付け１３０５、削除１３０６などの編集メニューが表示される。
【００４８】
貼り付けメニューに関しては、さらに、「兄弟プロセス」１３０７、「子プロセス」１３０８のサブメニューが存在する。業務プロセス名の編集メニュー１３０１を選択すると、図１３に示す業務プロセス名編集画面１４０１が表示され、業務プロセス名を編集することができる。検討内容の編集メニュー１３０２を選択すると、図１４に示す検討内容編集画面１５０１が表示され、検討内容を編集することができる。
【００４９】
コピーメニュー１３０３を選択すると、選択した業務プロセスをコピーすることができる。コピーした業務プロセスは、貼り付けメニュー１３０５を選択することで、選択した業務プロセスの子プロセスもしくは同一階層のプロセスとして貼り付けることができる。同一階層のプロセスとして貼り付けるか子プロセスとして貼り付けるかは、サブメニューの「兄弟プロセス」１３０７、「子プロセス」１３０８を選択することによって行う。
【００５０】
切り取りメニュー１３０４を選択すると業務プロセスを切り取って、貼り付けメニューを選択することによって、コピーメニューと同様に貼り付けることができる。削除メニュー１３０６を選択することによって、その業務プロセスをテンプレートから削除することができる。
【００５１】
また、コンテンツ表示領域１２０４にて一覧表示される操作映像、参考資料、成果物を選択してマウス右ボタンを押すと、図１５に示すように、タイトルの編集１６０１、コピー１６０２、切り取り１６０３、削除１６０４などの編集メニューが表示される。タイトルの編集メニュー１６０１を選択することで、図１６のタイトル編集画面１７０１が表示され、操作映像、参考資料、成果物のタイトルを編集することができる。コピーメニュー１６０２を選択すると、選択した操作映像、参考資料、成果物をコピーすることができる。貼り付けたい業務プロセスを選択して、操作映像、参考資料、成果物のタブのうち一つを選択し、コンテンツ表示領域１２０４上でマウス右ボタンを選択すると貼り付けメニューが表示されるので、その貼り付けメニューを選択することで、選択した業務プロセスにコピーした操作映像、参考資料、成果物を貼り付けることができる。切り取りメニューを選択すると、選択した操作映像、参考資料、成果物を切り取って、コピーメニューを選択したときと同様に、別の業務プロセスに貼り付けることができる。削除メニューを選択することで、選択した操作映像、参考資料、成果物をテンプレートから削除することができる。ここで編集したテンプレートは、上書きもしくは名前を変更してデータベース１０５に保存することができる。
【００５２】
以上説明したように、実施例１によれば、設計履歴蓄積部１０２は、設計対象に対する設計操作の検討項目を入力する検討項目入力画面（図２、図３、図４）をディスプレイ１０１ａに表示する。そして、その入力画面に応答して入力装置１０１から入力された検討項目に対応する作業実行画面（図５）をディスプレイ１０１ａに表示する。その作業実行画面上で、入力装置１０１から入力された設計操作ログを検討項目に関連づけてデータベース１０５に記憶させているから、異なる検討項目に関する設計操作を並行にもしくは交互に行っても、検討項目ごとに設計履歴が切り分けられて蓄積される。その結果、再利用等における設計履歴の参照を、検討項目ごとに指定することにより、効率的に行うことができる。また、蓄積された設計履歴を見て、例えば形状寸法等が変更されている場合、対応する検討項目を参照することにより、形状寸法等が変更された理由を容易に理解できる。
【００５３】
また、本実施例によれば、設計履歴蓄積部１０２は、検討項目（検討パターン）が複数入力されたとき、各検討項目に対応する複数の作業実行画面をディスプレイ１０１ａに表示し、各作業実行画面上で入力された設計操作ログを各検討項目に関連づけて設計履歴としてデータベース１０５に記憶させているから、異なる検討項目に関する設計操作を並行にもしくは交互に行っても、再利用等における設計履歴の参照を効率的に行うことができる。
【００５４】
また、本実施例のテンプレート作成部１０３は、データベース１０５に記録された設計履歴が複数の検討項目に関連づけて記憶された複数の設計履歴を有し、かつ複数の検討項目が相互に関連する場合、その関連する複数の検討項目に対応させて複数の設計履歴を階層状にまとめたテンプレートデータを作成しているから、テンプレート表示編集部１０４により複数の設計履歴を読み出して、テンプレートデータに基づいて階層状に表示させることができる。その結果、異なる複数の検討項目に対する複数の設計履歴が階層状に表示されるから、ユーザは複数の設計履歴の参照を一層容易に行うことができる。
【実施例２】
【００５５】
図１７を参照して、本発明の設計履歴生成装置を備えた設計支援システムの実施例２の特徴部を説明する。本実施例では、例えば３つの検討項目を宣言すると、図１７に示すように、検討項目ごとに作業実行画面１８０１，１８０２，１８０３が表示される。そして、作業実行画面上で、さらに、最初に宣言した検討項目を細分化した詳細な検討項目を宣言することができるようになっている。そして、詳細な検討項目を宣言すると、詳細な検討項目の作業実行画面１８０４，１８０５が表示され、さらに詳細な検討項目を宣言すると、作業実行画面１８０６，１８０７、１８０８が表示される。
【００５６】
すなわち、図１７の例に示すように、最初に「タンク強度検討」、「配管強度検討」、「ＸＸＸの検討」の3つの検討項目を宣言すると、それぞれ「タンク強度検討」用の作業実行画面１８０１、「配管強度検討」用の作業実行画面１８０２、「XXXの検討」用の実行画面が表示される。続いて、「タンク強度検討」用の作業実行画面１８０１上で、さらにタンク強度検討を細分化した詳細な検討項目「○○検討」「ＸＸ検討」を宣言すると、「○○検討」用の作業実行画面１８０４、「ＸＸ検討」用の作業実行画面１８０５が表示される。さらに、「○○検討」用の作業実行画面１８０４上で、さらに○○検討を細分化した詳細な検討項目「○×検討」「○△検討」「■△検討」を宣言すると、「○×検討」用の作業実行画面１８０６、「○△検討」用の作業実行画面１８０７、「■△検討」用の作業実行画面１８０８が表示される。
【００５７】
このように、本実施例では、作業実行画面上で、次々と詳細な検討項目を宣言し、宣言した検討項目に対する作業実行画面を派生して表示させることができる。各作業実行画面の親子関係は、宣言ログとして蓄積される。作業実行画面上での操作ログは、その検討項目と関連付けて操作履歴として蓄積される。
【００５８】
そして、テンプレート作成部１０３は、各作業実行画面の親子関係を定義した宣言ログと操作ログと検討項目を関連付けた設計履歴から、最初に宣言した検討項目ごとにテンプレートを作成する。
【００５９】
本実施例により蓄積された履歴から作成したテンプレートの表示例を図１８に示す。第１階層が最初に宣言した検討項目「タンク強度検討」１９０１、第２階層が「タンク強度検討」をさらに細分化した詳細な検討項目「○○検討」１９０２、「ＸＸ検討」１９０６、「○○検討」１９０２の下の階層には、「○○検討」をさらに細分化した詳細な検討項目「○×検討」１９０３、「○△検討」１９０４、「■△検討」１９０５が表示される。各検討項目からは、検討項目と関連付けられた参考資料、成果物、操作映像が参照可能となる。
【図面の簡単な説明】
【００６０】
【図１】本発明の設計履歴生成装置を備えた設計支援システムの実施例１の概要構成図である。
【図２】検討項目入力画面の一例を示す図である。
【図３】検討項数入力画面の一例を示す図である。
【図４】検討項内容入力画面の一例を示す図である。
【図５】作業実行画面の一例を示す図である。
【図６】宣言ログの一例を示す図である。
【図７】参照・登録ログの一例を示す図である。
【図８】操作映像ログの一例を示す図である。
【図９】テンプレートの構成の一例を示す図である。
【図１０．Ａ】テンプレートの具体例を示す図である。
【図１０．Ｂ】テンプレートの具体例を示す図である。
【図１１】テンプレートの表示形式の一例を示す図である。
【図１２】テンプレートの編集メニューの一例を示す図である。
【図１３】業務プロセス名の編集画面の一例を示す図である。
【図１４】検討内容の編集画面の一例を示す図である。
【図１５】操作映像、成果物、参考資料の編集メニューの一例を示す図である。
【図１６】操作映像、成果物、参考資料のタイトルの編集画面の一例を示す図である。
【図１７】本発明の設計履歴生成装置を備えた設計支援システムの実施例２の特徴に係る作業実行画面の表示例を示す図である。
【図１８】実施例２のテンプレートデータの表示例を示す図である。
【符号の説明】
【００６１】
１０１  入出力装置
１０１ａ  ディスプレイ
１０２  設計履歴蓄積部
１０３  テンプレート作成部
１０４  テンプレート表示編集部
１０５  データベース
【図１】
2007207105.tif 000003
【図２】
2007207105.tif 000004
【図３】
2007207105.tif 000005
【図４】
2007207105.tif 000006
【図５】
2007207105.tif 000007
【図６】
2007207105.tif 000008
【図７】
2007207105.tif 000009
【図８】
2007207105.tif 000010
【図９】
2007207105.tif 000011
【図１０．Ａ】
2007207105.tif 000012
【図１０．Ｂ】
2007207105.tif 000013
【図１１】
2007207105.tif 000014
【図１２】
2007207105.tif 000015
【図１３】
2007207105.tif 000016
【図１４】
2007207105.tif 000017
【図１５】
2007207105.tif 000018
【図１６】
2007207105.tif 000019
【図１７】
2007207105.tif 000020
【図１８】
2007207105.tif 000021